(57)【特許請求の範囲】
【請求項１】
蓄電装置を保持する蓄電装置ホルダであって、
前記蓄電装置の底面と対向する底壁部と、
前記蓄電装置の両側面と対向する１対の側壁部と、
前記蓄電装置の背面と対向する背壁部と、
前記蓄電装置の頂面と対向する頂壁部とを備え、
前記背壁部は、前記１対の側壁部の対向方向に延在し、空気が流れる第１空気流路を形成する複数の第１リブを有し、
前記底壁部は、前記蓄電装置が載置されると共に前記第１空気流路の延在方向と直交する方向に延在し、前記空気が流れる複数の第２空気流路を形成する複数の第２リブを有し、
前記背壁部は、前記第１リブと前記第２リブとを接続するように前記第１リブ及び前記第２リブと直交する方向に延在し、前記空気が流れる複数の第３空気流路を形成する複数の第３リブを更に有し、
前記第１空気流路と前記第２空気流路とは、前記第３空気流路を介して連通されており、
前記第１空気流路の長さは、前記底壁部側から前記頂壁部側に向かうにつれて長くなっており、
前記第３空気流路の長さは、前記第１空気流路の延在方向の一方側から他方側に向かうにつれて長くなっている、蓄電装置ホルダ。
【請求項２】
前記第２空気流路の幅は、前記第１空気流路の延在方向の一方側から他方側に向かうにつれて広くなっている、請求項１記載の蓄電装置ホルダ。
【請求項３】
前記１対の側壁部は、前記側壁部の長手方向に沿って延在するように前記側壁部の前記背壁部側の端部を切り欠いて形成され、前記第１空気流路に対して前記空気を流入出させる開口部を有する、請求項１または２記載の蓄電装置ホルダ。
【請求項４】
複数の蓄電装置と、
前記複数の蓄電装置をそれぞれ保持する請求項１〜３のいずれか一項記載の複数の蓄電装置ホルダと、を備える蓄電装置モジュール。
【発明の詳細な説明】
【技術分野】
【０００１】
本発明は、蓄電装置ホルダ及び蓄電装置モジュールに関する。
【背景技術】
【０００２】
従来の蓄電装置モジュールとして、複数の二次電池と、当該複数の二次電池をそれぞれ保持する複数のセルホルダとを備える二次電池モジュールが知られている（例えば特許文献１参照）。セルホルダは、金属製の板状部材の片面に熱伝導性ゴム層が一体成形されることで構成されている。熱伝導性ゴム層における二次電池と接する面には、過充電等によって発熱した二次電池を冷却するための空気等の冷却媒体が流れる冷却媒体流路が設けられている。
【先行技術文献】
【特許文献】
【０００３】
【特許文献１】特開２０１４−１０９３９号公報
【発明の概要】
【発明が解決しようとする課題】
【０００４】
上述したようなセルホルダ（蓄電装置ホルダ）においては、電池（蓄電装置）の放熱性を向上させることが求められている。
【０００５】
本発明は、蓄電装置の放熱性を向上させることができる蓄電装置ホルダ及び蓄電装置モジュールを提供することを目的とする。
【課題を解決するための手段】
【０００６】
本発明の一側面に係る蓄電装置ホルダは、蓄電装置を保持する蓄電装置ホルダであって、蓄電装置の底面と対向する底壁部と、蓄電装置の両側面と対向する１対の側壁部と、蓄電装置の背面と対向する背壁部とを備え、背壁部は、１対の側壁部の対向方向に延在し、空気が流れる第１空気流路を画成する複数のリブを有し、底壁部は、蓄電装置が載置されると共に空気が流れる第２空気流路を画成する複数の突出部分を有する。
【０００７】
この蓄電装置ホルダでは、第１空気流路及び第２空気流路に空気を流すことによって、蓄電装置の背面及び底面が冷却される。すなわち、従来の蓄電装置ホルダのように蓄電装置の背面が冷却されるだけでなく蓄電装置の底面も冷却される。これにより、蓄電装置の放熱性を向上させることができる。
【０００８】
また、突出部分は、底壁部の両端部に設けられており、第２空気流路は、底壁部の両端部に設けられた突出部分の間に配置されていてもよい。これにより、蓄電装置の過充電等に起因して温度上昇しやすい蓄電装置の底面の中央部の放熱性を向上させることができる。
【０００９】
また、第２空気流路は、第１空気流路の延在方向と直交する方向に延在していてもよい。これにより、簡易な構成で蓄電装置の放熱性を向上させることができる。
【００１０】
また、第２空気流路は、第１空気流路の延在方向に沿って複数配列されており、第２空気流路の幅は、第１空気流路の延在方向の一方側から他方側に向かうにつれて広くなっていてもよい。第１空気流路の延在方向の一方側から他方側に向かって空気が流れる場合、当該延在方向の一方側から他方側に向かって空気の温度は上昇し得る。しかしながら、この場合、第２空気流路の幅は、第１空気流路の延在方向の一方側から他方側に向かうにつれて広くなっているので、各第２空気流路に流れる空気の流量が第１空気流路の延在方向の一方側から他方側に向かって増える。この結果、当該延在方向における蓄電装置の放熱性のバラツキを抑制することができる。
【００１１】
また、第１空気流路と第２空気流路とが連通していてもよい。これにより、空気が第１空気流路及び第２空気流路の両方を流通するので、空気は流路内に長い時間留まることになる。この結果、空気を蓄電装置の冷却に十分に利用することができる。
【００１２】
また、第２空気流路は、第１空気流路の延在方向に延在していてもよい。これにより、簡易な構成で蓄電装置の放熱性を向上させることができる。
【００１３】
また、第２空気流路は、波状を有していてもよい。波状の第２空気流路と蓄電装置の底面とが面する領域は、直線状の第２空気流路と蓄電装置の底面とが面する領域と比べて広くなる。このため、蓄電装置の放熱性を更に向上させることができる。
【００１４】
本発明の一側面に係る蓄電装置モジュールは、複数の蓄電装置と、複数の蓄電装置をそれぞれ保持する複数の上記蓄電装置ホルダと、を備える。
【００１５】
この蓄電装置モジュールは、上記蓄電装置ホルダを備えているので、蓄電装置の放熱性を向上させることができる。
【発明の効果】
【００１６】
本発明によれば、蓄電装置の放熱性を向上させることができる。
【図面の簡単な説明】
【００１７】
【図１】第１実施形態に係る蓄電装置モジュールとしての電池モジュールを示す概略図である。
【図２】図１に示した電池モジュールに備えられた電池及びセルホルダを示す正面図である。
【図３】図２に示したセルホルダを示す斜視図である。
【図４】図２に示したセルホルダを示す側面図である。
【図５】第２実施形態に係る蓄電装置モジュールとしての電池モジュールに備えられたセルホルダを示す斜視図である。
【図６】図５に示したセルホルダの一変形例を示す斜視図である。
【図７】第３実施形態に係る蓄電装置モジュールとしての電池モジュールに備えられたセルホルダを示す斜視図である。
【図８】第４実施形態に係る蓄電装置モジュールとしての電池モジュールに備えられたセルホルダを示す斜視図である。
【図９】図８に示したセルホルダの一変形例を示す斜視図である。
【発明を実施するための形態】
【００１８】
以下、図面を参照しながら、本発明の実施形態について詳細に説明する。図面において、同一または同等の要素には同じ符号を付し、重複する説明を省略する。
【００１９】
［第１実施形態］
図１は、蓄電装置モジュールの一実施形態として電池モジュールを示す概略図である。同図に示されるように、電池モジュール（蓄電装置モジュール）１は、配列体２と、配列体２に対して拘束荷重を付加するエンドプレート（拘束部材）３，３と、配列体２とエンドプレート３との間に介在する弾性体４と、を備えて構成されている。
【００２０】
配列体２は、複数（ここでは７体）の電池（蓄電装置）１０と、各電池１０をそれぞれ保持する複数（ここでは７体）のセルホルダ（蓄電装置ホルダ）５と、を有している。
【００２１】
電池１０は、例えばリチウムイオン二次電池である。電池１０は、図２に示されるように、例えば略直方体形状をなす中空のケース１１と、ケース１１内に収容された電極組立体（図示省略）と、を備えている。ケース１１は、例えばアルミニウム等の金属によって形成されている。ケース１１は、配列体２の配列方向（図２に紙面貫通方向）に対向する一対の正面１２ａ及び背面１２ｂと、背面１２ｂの短手方向（図２の上下方向）に対向する一対の頂面１３ａ及び底面１３ｂと、背面１２ｂの長手方向（図２の左右方向）に対向する一対の側面１４ａ，１４ｂと、を有している。
【００２２】
ケース１１の内部には、例えば有機溶媒系又は非水系の電解液が注入されている。ケース１１の頂面１３ａには、正極端子１５と負極端子１６とが互いに離間して配置されている。電極組立体は、例えば、正極と、負極と、正極と負極との間に配置された袋状のセパレータとによって構成されている。電極組立体は、セパレータ内に正極が収容された状態で、正極と負極とがセパレータを介して配列体２の配列方向に沿って交互に積層されている。
【００２３】
セルホルダ５は、例えばポリプロピレンといった樹脂材料によって一体成型されている。セルホルダ５は、図２に示されるように、ケース１１の周囲に位置している。
【００２４】
エンドプレート３は、配列体２に対して電池１０の配列方向に拘束荷重を付加する。エンドプレート３は、例えば金属製の板状部材である。エンドプレート３は、図１に示されるように、例えば電池１０を配列方向から見た場合の面積よりも大きい面積を有している。エンドプレート３は、外縁部分が電池１０よりも外側に張り出した状態で、配列体２及び弾性体４の配列方向の両端にそれぞれ配置されている。エンドプレート３，３の外縁部分には、複数のボルト６が挿通されている。各ボルト６の先端にエンドプレート３の外側からナット７が螺合されることで、電池１０及び弾性体４がエンドプレート３，３により挟持されてユニット化されると共に、エンドプレート３，３により拘束荷重が付加される。
【００２５】
弾性体４は、電池１０に膨張が生じた場合等に、拘束荷重による電池１０及びエンドプレート３の破損を防止する目的で用いられる部材である。弾性体４は、図１に示されるように、例えばウレタン製のゴムスポンジによって矩形の板状に形成され、配列方向の一端側の電池１０とエンドプレート３との間に配置されている。弾性体４の厚さは、エンドプレート３の厚さと同等以上となっている。弾性体４の形成材料としては、例えばエチレンプロピレンジエンゴム（ＥＰＤＭ）、クロロプレンゴム、シリコンゴム等が挙げられる。
【００２６】
続いて、セルホルダ５について更に詳細に説明する。
【００２７】
セルホルダ５は、図３に示されるように、電池１０の背面１２ｂと対向する背壁部２０と、ケース１１の底面１３ｂと対向する底壁部３０と、電池１０の両側面１４ａ，１４ｂと対向する１対の側壁部４０，４０と、ケース１１の頂面１３ａと対向する頂壁部５０と、を備えている。
【００２８】
背壁部２０は、矩形板状の背板２１と、背板２１の長手方向に延在する直方体形状（断面矩形状）の複数（ここでは９つ）の第１リブ（リブ）２２と、を有している。第１リブ２２の延在方向の長さは、背板２１の長手方向の長さと略同一である。各第１リブ２２は、背板２１の一方面２１ａに配置されている。各第１リブ２２は、背板２１の短手方向に沿って、第１リブ２２の幅と同程度の間隔で略平行に配列されている。配列端の位置する一方の第１リブ２２（図３の下側の第１リブ２２）と背板２１の短手方向の一端部（図３の下側の端部）との間隔は、隣り合う第１リブ２２間の間隔よりも広くなっている。
【００２９】
底壁部３０は、長手方向の両端部が折り曲げられた矩形板状の凹部３１と、凹部３１の両端部を支持する直方体状の１対の支持部３２，３２と、を有している。支持部３２は、凹部３１の凹み方向と反対側（第１リブ２２側）に向かって突出する突出部分３２ａと、凹部３１の凹み方向に向かって突出する脚部分３２ｂとを有している。すなわち、突出部分３２ａ及び脚部分３２ｂは、底壁部３０の両端部に設けられている。突出部分３２ａの先端面は、ケース１１の底面１３ｂが載置される載置面３２ｃである。脚部分３２ｂには、底壁部３０の短手方向に延在する貫通孔３２ｄが設けられている。貫通孔３２ｄには、上述したボルト６が挿通される。
【００３０】
底壁部３０は、背板２１の短手方向の一端部（図３の下側の端部）に配置されている。底壁部３０の短手方向は、背板２１の一方面２１ａの面方向と直交する方向に向けられている。底壁部３０は、底壁部３０の短手方向の一端部によって、背板２１の短手方向の一端部に接続されている。
【００３１】
側壁部４０は、矩形板状を呈している。側壁部４０の短手方向の長さは、底壁部３０の短手方向の長さと略同一である。側壁部４０には、側壁部４０の短手方向の一端部を矩形状に切り欠いた開口部４１が形成されている。開口部４１は、側壁部４０の長手方向に沿って延在している。
【００３２】
各側壁部４０，４０は、背板２１の長手方向の各端部にそれぞれ配置されている。側壁部４０の短手方向は、背板２１の一方面２１ａの面方向と直交する方向に向けられている。各側壁部４０，４０は、各側壁部４０，４０の短手方向の一端部によって、背板２１の長手方向の各端部にそれぞれ接続されている。各側壁部４０，４０は、各側壁部４０，４０の長手方向の一端部（図３の下側の端部）によって、各支持部３２，３２に接続されている。各開口部４１，４１は、背板２１の長手方向に互いに対向している。開口部４１の延在方向の縁部は、配列端に位置する第１リブ２２近傍に位置している。
【００３３】
頂壁部５０は、１対の端子収容部５１，５１と、１対の柱部５２，５２とを有している。端子収容部５１は、矩形平板状を呈している。端子収容部５１には、端子収容部５１の短手方向の一端を半円状に切り欠いた切欠き部５１ａが形成されている。切欠き部５１ａには、電池１０の正極端子１５及び負極端子１６が位置する。柱部５２は、柱状を呈している。柱部５２は、端子収容部５１の長手方向の一端部（内側端部）に配置されている。柱部５２には、端子収容部５１の短手方向に延びる貫通孔５２ａが設けられている。貫通孔５２ａには、上述したボルト６が挿通される。
【００３４】
頂壁部５０は、背板２１の短手方向の他端部（図３の上側の端部）に配置されている。端子収容部５１の短手方向は、背板２１の一方面２１ａの面方向と直交している。頂壁部５０は、端子収容部５１の短手方向における頂壁部５０の一端部によって、背板２１の短手方向の他端部（図３の上側の端部）に接続されている。各端子収容部５１，５１の長手方向の他端部は、各側壁部４０，４０の長手方向の他端部（図３の上側の端部）にそれぞれ接続されている。
【００３５】
電池１０は、セルホルダ５に対して嵌め込まれている。ケース１１の背面１２ｂは、図４に示されるように、第１リブ２２の先端に接触している。このため、ケース１１の背面１２ｂ、背壁部２０の第１リブ２２及び背板２１で画成された空間によって、第１空気流路Ｒ１が形成されている。第１空気流路Ｒ１は、１対の側壁部４０，４０の対向方向に延在している。したがって、一方の開口部４１（図３の左側の開口部４１）から流入した空気は、各第１空気流路Ｒ１を通過して他方の開口部４１（図３の右側の開口部４１）から流出する。第１空気流路Ｒ１は、例えば冷却された空気等が流れる流路として用いられ、電池１０の冷却に寄与する。
【００３６】
一方で、底壁部３０の各突出部分３２ａの間には、図２に示されるように、第２空気流路Ｒ２が配置されている。より具体的には、ケース１１の底面１３ｂは、突出部分３２ａの載置面３２ｃに載置されている。このため、ケース１１の底面１３ｂ、底壁部３０の凹部３１及び各突出部分３２ａ，３２ａで画成された空間によって、第２空気流路Ｒ２が形成されている。第２空気流路Ｒ２は、例えば冷却された空気等が流れる流路として用いられ、電池１０の冷却に寄与する。空気は、各開口部４１を介して、第２空気流路Ｒ２の一端側（図２の紙面方向奥側）に流入する。第２空気流路Ｒ２を通過した空気は、第２空気流路Ｒ２の他端側（図２の紙面方向手前側）から流出する。
【００３７】
以上説明したように、本実施形態では、第１空気流路Ｒ１及び第２空気流路Ｒ２に空気を流すことによって、電池１０の背面１２ｂ及び底面１３ｂが冷却される。すなわち、従来のセルホルダのように電池１０の背面１２ｂが冷却されるだけでなく、電池１０の底面１３ｂも冷却される。これにより、電池１０の放熱性を向上させることができる。
【００３８】
また、本実施形態では、突出部分３２ａは、底壁部３０の両端部に設けられている。第２空気流路Ｒ２は、突出部分３２ａの間に配置されている。これにより、電池１０の過充電等に起因して温度上昇しやすい電池１０の底面１３ｂの中央部の放熱性を向上させることができる。
【００３９】
［第２実施形態］
本実施形態は、セルホルダ５の底壁部の構成において第１実施形態と異なる。
【００４０】
セルホルダ５は、図５に示されるように、底壁部２３０を備えている。底壁部２３０は、矩形板状の底板２３１と、複数（ここでは１９個）の第２リブ（突出部分）２３２を有している。第２リブ２３２は、底壁部２３０の短手方向に延在する直方体形状（断面矩形状）を呈している。第２リブ２３２は、底板２３１の一方面２３１ａに配置されている。各第２リブ２３２は、第１空気流路Ｒ１の延在方向に沿って、第２リブ２３２の幅と同程度の間隔で略平行に配列されている。このため、ケース１１の底面１３ｂ、底壁部２３０の底板２３１及び各第２リブ２３２で画成された空間によって、複数（ここでは１８本）の第２空気流路Ｒ２が形成されている。各第２空気流路Ｒ２は、第１空気流路Ｒ１の延在方向と直交する方向に延在している。第２空気流路Ｒ２の一端側（図２の紙面方向奥側）には、各開口部４１から流入した空気が流れ込む。第２空気流路Ｒ２を通過した空気は、第２空気流路Ｒ２の他端側（図２の紙面方向手前側）から流出する。このように、本実施形態においては、簡易な構成で電池１０の放熱性を向上させることができる。なお、第２空気流路Ｒ２は、複数配置されている必要はなく、少なくとも１つ以上配置されていればよい。
【００４１】
また、第２空気流路Ｒ２の幅は、図６に示されるように、第１空気流路Ｒ１の延在方向の一方側から他方側に向かうにつれて広くなっていてもよい。空気が、各開口部４１，４１を通じて、第１空気流路Ｒ１の延在方向の一方側から他方側に向かって流れる場合、当該延在方向の一方側から他方側に向かって空気の温度は上昇し得る。しかしながら、この場合においては、第２空気流路Ｒ２の幅は、第１空気流路Ｒ１の延在方向の一方側から他方側に向かうにつれて広くなっているので、各第２空気流路Ｒ２に流れる空気の流量が第１空気流路Ｒ１の延在方向の一方側から他方側に向かって増える。この結果、当該延在方向における電池１０の放熱性のバラツキを抑制することができる。
【００４２】
［第３実施形態］
本実施形態は、セルホルダ５の背壁部及び底壁部の構成において、第１実施形態と異なる。
【００４３】
セルホルダ５は、図７に示されるように、背壁部３２０と、底壁部３３０とを備えている。背壁部３２０は、矩形板状の背板３２１と、複数（ここでは９つ）の第１リブ３２２と、複数（ここでは８つ）の第３リブ３２３とを有している。第１リブ３２２は、背板３２１の長手方向に延在する直方体形状（断面矩形状）を呈している。各第１リブ３２２の延在方向の長さは、それぞれ異なっている。各第１リブ３２２は、背板３２１の一方面３２１ａに配置されている。各第１リブ３２２は、底壁部３３０側から頂壁部５０側に向かうに連れて、長さの長い第１リブ３２２が位置するように配列されている。各第１リブ３２２は、第１リブ３２２の幅と同程度の間隔で略平行に配列されている。各第１リブ３２２の一端部は、背板３２１の長手方向の一方側の端部（図７の左側の端部）に揃えられている。これにより、ケース１１の背面１２ｂ、背壁部３２０の第１リブ３２２及び背板３２１で画成された空間によって、長さの異なる複数の第１空気流路Ｒ１が形成されている。第１空気流路Ｒ１は、１対の側壁部４０，４０の対向方向に延在している。
【００４４】
各第３リブ３２３は、背板３２１の短手方向に延在する直方体形状（断面矩形状）を呈している。各第３リブ３２３の延在方向の長さは、それぞれ異なっている。各第３リブ３２３は、背板３２１の一方面３２１ａに配置されている。各第３リブ３２３は、一方の側壁部４０側（図７の左側）から他方の側壁部４０側（図７の右側）に向かうに連れて、長さの長い第３リブ３２３が位置するように配列されている。各第３リブ３２３は、第３リブ３２３の幅よりも広い間隔で略平行に配列されている。各第３リブ３２３の一端部は、背板３２１の短手方向の一方側の端部（図７の下側の端部）に揃えられている。これにより、ケース１１の背面１２ｂ、背壁部３２０の第３リブ３２３及び背板３２１で画成された空間によって、長さの異なる複数の第３空気流路Ｒ３が形成されている。
【００４５】
各第１リブ３２２の他端部と各第３リブ３２３の他端部とは接続されている。すなわち、第１空気流路Ｒ１と第３空気流路Ｒ３とは連通している。これにより、背板３２１の一方面３２１ａには、平面視でＬ字状の複数の空気流路が形成されている。
【００４６】
底壁部３３０は、矩形板状の底板３３１と、複数（ここでは８個）の第２リブ（突出部分）３３２とを有している。第２リブ３３２は、底壁部３３０の短手方向に延在する直方体形状（断面矩形状）を呈している。第２リブ３３２は、底板３３１の一方面３３１ａに配置されている。各第２リブ３３２は、第１空気流路Ｒ１の延在方向に沿って、第２リブ３３２の幅よりも広い間隔で略平行に配列されている。このため、ケース１１の底面１３ｂ、底壁部３３０の底板３３１及び各第２リブ３３２で画成された空間によって、複数の第２空気流路Ｒ２が形成されている。各第２空気流路Ｒ２は、第１空気流路Ｒ１の延在方向と直交する方向に延在している。
【００４７】
各第２リブ２３２の一端部（図７の紙面方向奥側の端部）と各第３リブ３２３の一端部（図７の下側の端部）とは接続されている。すなわち、第２空気流路Ｒ２と第３空気流路Ｒ３とは連通している。これにより、第１空気流路Ｒ１と第２空気流路Ｒ２とは、第３空気流路Ｒ３を介して連通している。
【００４８】
本実施形態では、空気が第１空気流路Ｒ１から第２空気流路Ｒ２に至る流路を流通するので、空気は空気流路内に長い時間留まることになる。この結果、空気を電池１０の冷却に十分に利用することができる。
【００４９】
［第４実施形態］
本実施形態は、セルホルダ５の底壁部及び側壁部の構成において第１実施形態と異なる。
【００５０】
セルホルダ５は、図８に示されるように、底壁部４３０と、一対の側壁部４４０，４４０とを備えている。底壁部４３０は、矩形板状の底板４３１を有している。底板４３１には、第１空気流路Ｒ１の延在方向に延在している１本の第２空気流路Ｒ２が形成されている。
【００５１】
側壁部４４０は、矩形板状を呈している。側壁部４４０には、開口部４４１が形成されている。開口部４４１は、第１開口部分４４１ａと、第２開口部分４４１ｂとから構成されている。第１開口部分４４１ａは、側壁部４４０の短手方向の一端部を矩形状に切り欠いて形成されている。第１開口部分４４１ａは、側壁部４４０の長手方向に沿って延在している。第２開口部分４４１ｂは、第１開口部分４４１ａの長手方向の一端部（底壁部４３０側の端部）から側壁部４４０の短手方向の他端部に向かって延在している。第２空気流路Ｒ２は、各側壁部４４０，４４０の対向方向からみたときに、第２開口部分４４１ｂの周縁部で囲まれる領域内に位置している。したがって、一方の第２開口部分４４１ｂから流入した空気は、第２空気流路Ｒ２を通過して他方の第２開口部分４４１ｂから流出する。このように、本実施形態では、簡易な構成で電池１０の放熱性を向上させることができる。
【００５２】
本発明は、上記実施形態に限られるものではない。
【００５３】
上記実施形態では、第１空気流路Ｒ１、第２空気流路Ｒ２、及び第３空気流路Ｒ３は、直線状を呈しているが、各空気流路Ｒ１，Ｒ２，Ｒ３は、図９に示された第２空気流路Ｒ２のように、例えば波状を呈してもよい。この場合、波状の第２空気流路Ｒ２と電池１０の底面１３ｂとが面する領域は、直線状の第２空気流路Ｒ２と電池１０の底面１３ｂとが面する領域と比べて広くなる。このため、電池１０の放熱性を更に向上させることができる。また、各空気流路Ｒ１，Ｒ２，Ｒ３の幅、第１リブ２２，３２２の幅、第２リブ２３２，３３２の幅、及び第３リブ３２３の幅を適宜変更してもよい。
【００５４】
上記実施形態では、一方の開口部４１（図３の左側の開口部４１）から流入した空気は、各第１空気流路Ｒ１を通過して他方の開口部４１（図３の右側の開口部４１）から流出していたが、空気の流れる方向を逆向きとしてもよい。すなわち、他方の開口部４１から流入した空気が、一方の開口部４１から流出してもよい。また、空気の流れる方向に応じて、各空気流路Ｒ１，Ｒ２，Ｒ３、第１リブ２２，３２２、第２リブ２３２，３３２、及び第３リブ３２３の配置を適宜変更してもよい。
【００５５】
上記実施形態では、エンドプレート３，３同士をボルト６及びナット７で締結して配列体２及び弾性体４に拘束荷重を付加しているが、エンドプレート３，３同士を拘束バンド（金属プレート等）で連結し、拘束バンドの両端部をエンドプレート３，３にそれぞれボルト等で締結して配列体２及び弾性体４に拘束荷重を付加してもよい。また、配列体２に拘束荷重を付加しない蓄電装置モジュールにおいて、上記実施形態に係る蓄電装置を適用してもよい。
【００５６】
上記実施形態では、蓄電装置がリチウムイオン二次電池等の二次電池であるが、本発明は、特にそのような二次電池には限られず、例えば電気二重層キャパシタまたはリチウムイオンキャパシタ等の蓄電装置を備えた蓄電装置モジュールにも適用可能である。
【符号の説明】
【００５７】
１…電池モジュール（蓄電装置モジュール）、５…セルホルダ（蓄電装置ホルダ）、１０…電池（蓄電装置）、２０，３２０…背壁部、３０，３３０，４３０…底壁部、４０，４４０…側壁部、２２，３２２…第１リブ（リブ）、３２ａ…突出部分、２３２，３３２…第２リブ（突出部分）、Ｒ１…第１空気流路、Ｒ２…第２空気流路。
【図１】
0006657590.tif 000002
【図２】
0006657590.tif 000003
【図３】
0006657590.tif 000004
【図４】
0006657590.tif 000005
【図５】
0006657590.tif 000006
【図６】
0006657590.tif 000007
【図７】
0006657590.tif 000008
【図８】
0006657590.tif 000009
【図９】
0006657590.tif 000010